(57)【要約】無線ネットワークにおいて、許容できるアップリンク・サービス品質を達成しながら、アップリンク干渉を緩和するために、デバイスをハンドオーバするか否かを判定する方法および装置が提供される。デバイスをハンドオーバするか否かを判定するために、例えば、期間にわたってデバイスから受信された送信電力レポートの数、フレーム誤り率、設定点、または、デバイスのアップリンクに関連する電力制御コマンド、デバイスにおいて受信されたパイロット信号の強度、デバイスにおけるアップリンク・スループットまたはバッファ・サイズ、のようなデバイスに関連する１または複数のパラメータが評価されうる。このようなパラメータから、デバイスがアクセス・ポイントまたはデバイスと潜在的に干渉しているか否かを判定するための、デバイスの送信電力情報が推論されうる。１または複数のパラメータに基づいて、アクセス・ポイントは、デバイスをハンドオーバすることが、アップリンク・サービス品質を保証しながら、このようなアップリンク干渉を緩和しうるか否かを判定し、これにしたがって、デバイスをハンドオーバしうる。
2013538490.tif 000002
【特許請求の範囲】
【請求項１】
無線ネットワークにおける干渉を緩和するための方法であって、
デバイスの送信電力に関する１または複数のパラメータを受信することと、
前記１または複数のパラメータをしきい値と比較することと、
前記比較に少なくとも部分的に基づいて、前記デバイスのアクセス・ポイントへのハンドオーバを実行することと、
を備える方法。
【請求項２】
前記デバイスから複数の送信電力レポートを受信することをさらに備え、
前記１または複数のパラメータを受信することは、期間にわたって前記デバイスから受信された前記複数の送信電力レポートの数を判定することを備える、請求項１に記載の方法。
【請求項３】
前記デバイスにおいて送信電力に達することに少なくとも部分的に基づいて、前記複数の送信電力レポートを送信するように前記デバイスを設定すること、をさらに備える請求項２に記載の方法。
【請求項４】
前記１または複数のパラメータを受信することは、前記デバイスのアップリンク通信に関する１または複数の電力制御コマンドのパラメータ、設定点、またはフレーム誤り率を決定することを備える、請求項１に記載の方法。
【請求項５】
前記１または複数のパラメータを受信することは、前記デバイスからの経路喪失、受信されたパイロット信号の強度、アップリンク・バッファ・サイズ、またはアップリンク・スループットを受信することを備える、請求項１に記載の方法。
【請求項６】
前記アクセス・ポイントから１または複数のパラメータを受信することをさらに備え、
前記デバイスの前記アクセス・ポイントへのハンドオーバを実行することはさらに、前記１または複数のパフォーマンス・パラメータを、パフォーマンスしきい値と比較することに少なくとも部分的に基づく、請求項１に記載の方法。
【請求項７】
前記１または複数のパフォーマンス・パラメータは、前記アクセス・ポイントに関する雑音立ち上がりまたはアップリンク負荷を備える、請求項６に記載の方法。
【請求項８】
前記デバイスから測定レポートを受信することと、
異なる周波数を用いて、または異なるラジオ・アクセス技術を用いて、前記アクセス・ポイントが動作していると判定することに少なくとも部分的に基づいて、前記ハンドオーバのためのアクセス・ポイントを、前記測定レポートから選択することと、
をさらに備える請求項１に記載の方法。
【請求項９】
無線ネットワークにおける干渉を緩和するための装置であって、
デバイスの送信電力に関する１または複数のパラメータを受信し、
前記１または複数のパラメータをしきい値と比較し、
前記比較に少なくとも部分的に基づいて、前記デバイスのアクセス・ポイントへのハンドオーバを実行する
ように構成された少なくとも１つのプロセッサと、
前記少なくとも１つのプロセッサに接続されたメモリと、
を備える装置。
【請求項１０】
前記少なくとも１つのプロセッサはさらに、前記デバイスから複数の送信電力レポートを受信するように構成され、
前記１または複数のパラメータは、期間にわたって前記デバイスから受信された前記複数の送信電力レポートの、判定された数に対応する、請求項９に記載の装置。
【請求項１１】
前記少なくとも１つのプロセッサはさらに、前記デバイスにおいて送信電力に達することに少なくとも部分的に基づいて、前記複数の送信電力レポートを送信するように前記デバイスを設定するように構成された、請求項１０に記載の装置。
【請求項１２】
前記少なくとも１つのプロセッサは、前記デバイスのアップリンク通信に関する１または複数の電力制御コマンドのパラメータ、設定点、またはフレーム誤り率を決定することによって、少なくとも部分的に、前記１または複数のパラメータを受信する請求項９に記載の装置。
【請求項１３】
前記１または複数のパラメータは、前記デバイスから受信された経路喪失、受信されたパイロット信号の強度、アップリンク・バッファ・サイズ、またはアップリンク・スループットに対応する、請求項９に記載の装置。
【請求項１４】
前記少なくとも１つのプロセッサはさらに、前記アクセス・ポイントから１または複数のパラメータを受信するように構成され、
前記少なくとも１つのプロセッサは、さらに、前記１または複数のパフォーマンス・パラメータを、パフォーマンスしきい値と比較することに少なくとも部分的に基づいて、前記デバイスの前記アクセス・ポイントへのハンドオーバを実行する、請求項９に記載の装置。
【請求項１５】
前記１または複数のパフォーマンス・パラメータは、前記アクセス・ポイントに関する雑音立ち上がりまたはアップリンク負荷を備える、請求項１４に記載の装置。
【請求項１６】
前記少なくとも１つのプロセッサはさらに、
前記デバイスから測定レポートを受信し、
異なる周波数を用いて、または異なるラジオ・アクセス技術を用いて、前記アクセス・ポイントが動作していると判定することに少なくとも部分的に基づいて、前記ハンドオーバのためのアクセス・ポイントを、前記測定レポートから選択する
ように構成された、請求項９に記載の装置。
【請求項１７】
無線ネットワークにおける干渉を緩和するための装置であって、
デバイスの送信電力に関する１または複数のパラメータを受信する手段と、
前記１または複数のパラメータをしきい値と比較する手段と、
前記比較に少なくとも部分的に基づいて、前記デバイスのアクセス・ポイントへのハンドオーバを実行する手段と、
を備える装置。
【請求項１８】
前記デバイスから複数の送信電力レポートを受信する手段をさらに備え、
前記１または複数のパラメータを受信する手段は、期間にわたって前記デバイスから受信された前記複数の送信電力レポートの数として、前記１または複数のパラメータを決定する、請求項１７に記載の装置。
【請求項１９】
前記デバイスにおいて送信電力に達することに少なくとも部分的に基づいて、前記複数の送信電力レポートを送信するように前記デバイスを設定する手段、をさらに備える請求項１８に記載の装置。
【請求項２０】
前記受信する手段は、前記デバイスのアップリンク通信に関する１または複数の電力制御コマンドのパラメータ、設定点、またはフレーム誤り率として、前記１または複数のパラメータを決定する、請求項１７に記載の装置。
【請求項２１】
前記受信する手段は、前記１または複数のパラメータを、前記デバイスから受信された経路喪失、受信されたパイロット信号の強度、アップリンク・バッファ・サイズ、またはアップリンク・スループットとして受信する、請求項１７に記載の装置。
【請求項２２】
前記受信する手段はさらに、前記アクセス・ポイントから１または複数のパラメータを受信し、
前記比較する手段は、前記ハンドオーバを実行するか否かを判定するために、前記１または複数のパフォーマンス・パラメータを、パフォーマンスしきい値と比較する、請求項１７に記載の装置。
【請求項２３】
前記１または複数のパフォーマンス・パラメータは、前記アクセス・ポイントに関する雑音立ち上がりまたはアップリンク負荷を備える、請求項２２に記載の装置。
【請求項２４】
前記実行する手段は、異なる周波数を用いて、または異なるラジオ・アクセス技術を用いて、前記アクセス・ポイントが動作していると判定することに少なくとも部分的に基づいて、前記アクセス・ポイントを選択する、請求項１７に記載の装置。
【請求項２５】
無線ネットワークにおける干渉を緩和するためのコンピュータ・プログラム製品であって、
少なくとも１つのコンピュータに対して、デバイスの送信電力に関する１または複数のパラメータを受信させるためのコードと、
前記少なくとも１つのコンピュータに対して、前記１または複数のパラメータをしきい値と比較させるためのコードと、
前記少なくとも１つのコンピュータに対して、前記比較に少なくとも部分的に基づいて、前記デバイスのアクセス・ポイントへのハンドオーバを実行させるためのコードと、
を備えるコンピュータ読取可能な媒体、
を備えるコンピュータ・プログラム製品。
【請求項２６】
前記コンピュータ読取可能な媒体はさらに、前記少なくとも１つのコンピュータに対して、前記デバイスから複数の送信電力レポートを受信させるためのコードを備え、
前記１または複数のパラメータは、期間にわたって前記デバイスから受信された前記複数の送信電力レポートの、判定された数に対応する、請求項２５に記載のコンピュータ・プログラム製品。
【請求項２７】
前記コンピュータ読取可能な媒体はさらに、前記少なくとも１つのコンピュータに対して、前記デバイスにおいて送信電力に達することに少なくとも部分的に基づいて、前記複数の送信電力レポートを送信するように前記デバイスを設定させるためのコードを備える、請求項２６に記載のコンピュータ・プログラム製品。
【請求項２８】
前記少なくとも１つのコンピュータに対して、受信させるためのコードは、前記デバイスのアップリンク通信に関する１または複数の電力制御コマンドのパラメータ、設定点、またはフレーム誤り率として、前記１または複数のパラメータを決定する、請求項２５に記載のコンピュータ・プログラム製品。
【請求項２９】
前記１または複数のパラメータは、前記デバイスから受信された経路喪失、受信されたパイロット信号の強度、アップリンク・バッファ・サイズ、またはアップリンク・スループットに対応する、請求項２５に記載のコンピュータ・プログラム製品。
【請求項３０】
前記コンピュータ読取可能な媒体はさらに、前記少なくとも１つのコンピュータに対して、前記アクセス・ポイントから１または複数のパラメータを受信させるためのコードを備え、
前記少なくとも１つのコンピュータに対して、実行させるためのコードは、さらに、前記１または複数のパフォーマンス・パラメータを、パフォーマンスしきい値と比較することに少なくとも部分的に基づいて、前記デバイスの前記アクセス・ポイントへのハンドオーバを実行する、請求項２５に記載のコンピュータ・プログラム製品。
【請求項３１】
前記１または複数のパフォーマンス・パラメータは、前記アクセス・ポイントに関する雑音立ち上がりまたはアップリンク負荷を備える、請求項３０に記載のコンピュータ・プログラム製品。
【請求項３２】
前記コンピュータ読取可能な媒体はさらに、
前記少なくとも１つのコンピュータに対して、前記デバイスから測定レポートを受信させるためのコードと、
前記少なくとも１つのコンピュータに対して、異なる周波数を用いて、または異なるラジオ・アクセス技術を用いて、前記アクセス・ポイントが動作していると判定することに少なくとも部分的に基づいて、前記ハンドオーバのためのアクセス・ポイントを、前記測定レポートから選択させるためのコードと
を備える、請求項２５に記載のコンピュータ・プログラム製品。
【請求項３３】
無線ネットワークにおける干渉を緩和するための装置であって、
デバイスの送信電力に関する１または複数のパラメータを受信するための通信パラメータ構成要素と、
前記１または複数のパラメータをしきい値と比較するためのハンドオーバ判定構成要素と、
前記比較に少なくとも部分的に基づいて、前記デバイスのアクセス・ポイントへのハンドオーバを実行するためのハンドオーバ構成要素と、
を備える装置。
【請求項３４】
前記通信パラメータ構成要素は、前記デバイスから複数の送信電力レポートを受信するための電力レポート受信構成要素を備え、
期間にわたって前記デバイスから受信された前記複数の送信電力レポートの数として、前記１または複数のパラメータを決定する、請求項３３に記載の装置。
【請求項３５】
前記通信パラメータ構成要素はさらに、前記デバイスにおいて送信電力に達することに少なくとも部分的に基づいて、前記複数の送信電力レポートを送信するように前記デバイスを設定する電力レポート設定構成要素を備える、請求項３４に記載の装置。
【請求項３６】
前記通信パラメータ構成要素は、前記デバイスのアップリンク通信に関する１または複数の電力制御コマンドのパラメータ、設定点、またはフレーム誤り率として、前記１または複数のパラメータを決定するためのパラメータ計算構成要素を備える、請求項３３に記載の装置。
【請求項３７】
前記通信パラメータ構成要素はさらに、前記１または複数のパラメータを、前記デバイスから受信された経路喪失、受信されたパイロット信号の強度、アップリンク・バッファ・サイズ、またはアップリンク・スループットとして受信するためのパラメータ受信構成要素を備える、請求項３３に記載の装置。
【請求項３８】
前記通信パラメータ構成要素はさらに、前記アクセス・ポイントから１または複数のパラメータを受信するためのパラメータ受信構成要素を備え、
前記ハンドオーバ判定構成要素はさらに、前記ハンドオーバを実行するか否かを判定するために、前記１または複数のパフォーマンス・パラメータを、パフォーマンスしきい値と比較する、請求項３３に記載の装置。
【請求項３９】
前記１または複数のパフォーマンス・パラメータは、前記アクセス・ポイントに関する雑音立ち上がりまたはアップリンク負荷を備える、請求項３８に記載の装置。
【請求項４０】
前記ハンドオーバ構成要素は、異なる周波数を用いて、または異なるラジオ・アクセス技術を用いて、前記アクセス・ポイントが動作していると判定することに少なくとも部分的に基づいて、前記アクセス・ポイントを選択する、請求項３３に記載の装置。
【発明の詳細な説明】
【優先権主張】
【０００１】
本特許出願は、本明細書において参照によって明確に組み込まれ、本願の譲受人に譲渡された２０１０年７月２６日出願の「マクロへのハンドオーバによってフェムト・ユーザ・アップリンク・パフォーマンスを保護するための方法および装置」（METHOD AND APPARATUS TO PROTECT FEMTO USER UPLINK PERFORMANCE VIA HAND-OVER TO MACRO）と題された仮出願６１，３６７，７８２号の優先権を主張する。
【技術分野】
【０００２】
以下の記載は、一般に、無線ネットワーク通信に関し、さらに詳しくは、干渉を管理することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数のアクセス・ポイントと通信しうる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
従来のアクセス・ポイントを補足するために、制約された追加のアクセス・ポイントが配置された、モバイル・デバイスへ、よりロバストな無線有効通信範囲が提供される。例えば、無線中継局および低電力アクセス・ポイント（例えば、一般に、集合的にＨ（ｅ）ＮＢと称されるホーム・ノードＢまたはホームｅＮＢ、フェムト・アクセス・ポイント、フェムトセル、ピコセル、マクロセル等）は、増加する容量成長、よりリッチなユーザ経験、ビルディング内、または、その他の特定の地理的有効通信範囲等のために配置されうる。いくつかの構成では、このような低電力アクセス・ポイントは、モバイル・オペレータのネットワークへバックホール・リンクを提供しうるブロードバンド接続（例えば、デジタル加入者ライン（ＤＳＬ）ルータ、ケーブル、またはその他のモデム等）を介してインターネットへ接続されうる。したがって、例えば、ブロードバンド接続を介して１または複数のデバイスへモバイル・ネットワーク・アクセスを提供するために、低電力アクセス・ポイントがユーザの住宅内に配置されうる。
【０００６】
この点に関し、多くの場合において、このような低電力アクセス・ポイントの配置は無計画であるので、アクセス・ポイント、および／または、アクセス・ポイントと通信しているモバイル・デバイスは、その他の低電力アクセス・ポイント、マクロセル・アクセス・ポイント、または、付近のその他のデバイスへ干渉をもたらしうる。一例では、いくつかの低電力アクセス・ポイントは、あるデバイスからの通信のみを許可する制約された関連付けの下で動作しうる。この例では、範囲内にあるが低電力アクセス・ポイントと通信することを許可されていないデバイスは、別のアクセス・ポイントと通信している場合に、これらと干渉しうる。この点に関し、例えば、低電力アクセス・ポイントと通信しているデバイスは、このような干渉と格闘するために、送信電力を増加させうる。したがって、一例において、低電力アクセス・ポイントと通信しているモバイル・デバイスの送信電力は、送信電力を増加させることによる他のモバイル・デバイスおよび／またはアクセス・ポイントとの干渉を緩和するために、上限が定められうる。しかしながら、送信電力の上限を定めることは、モバイル・デバイスのアップリンク・パフォーマンスを低下させうる。
【発明の概要】
【０００７】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の実施形態および対応する開示によれば、アップリンク通信を改善するために、低電力アクセス・ポイントと通信しているデバイスを、別のアクセス・ポイントにハンドオーバすることに関して、さまざまな態様が記載されている。例えば、低電力アクセス・ポイントは、デバイスと通信することに関連する１または複数のパラメータを取得しうる。そして、１または複数のパラメータに少なくとも部分的に基づいて、デバイスをハンドオーバすることを決定しうる。例において、１または複数のパラメータは、デバイスの送信電力、および／または、デバイスから受信する送信電力レポート、フレーム誤り率（ＦＥＲ）、設定点、デバイスのアップリンク通信に関する電力制御コマンド、アップリンク・スループット・バッファ・サイズ、デバイスにおけるダウンリンク・パイロットＥｃ／Ｉｏ、別のアクセス・ポイントにおけるアップリンク負荷または雑音立ち上がり、等に対応しうる。この点において、デバイスは、他のデバイスまたはアクセス・ポイントへの干渉を緩和するために、１または複数のパラメータに少なくとも部分的に基づいて、ハンドオーバされうる。
【０００９】
例によれば、無線ネットワークにおける干渉を緩和するための方法が提供される。この方法は、デバイスの送信電力に関する１または複数のパラメータを受信することと、１または複数のパラメータをしきい値と比較することと、を含む。この方法はまた、この比較に少なくとも部分的に基づいて、デバイスのアクセス・ポイントへのハンドオーバを実行することを含む。
【００１０】
別の態様によれば、無線ネットワークにおける干渉を緩和するための装置が提供される。この装置は、デバイスの送信電力に関する１または複数のパラメータを受信し、１または複数のパラメータをしきい値と比較するように構成された少なくとも１つのプロセッサを含む。この少なくとも１つのプロセッサはさらに、この比較に少なくとも部分的に基づいて、デバイスのアクセス・ポイントへのハンドオーバを実行するように構成される。この装置はさらに、少なくとも１つのプロセッサに接続されたメモリを含む。
【００１１】
また別の態様では、デバイスの送信電力に関する１または複数のパラメータを受信する手段と、１または複数のパラメータをしきい値と比較する手段とを含む、無線ネットワークにおける干渉を緩和するための装置が提供される。この装置はさらに、この比較に少なくとも部分的に基づいて、デバイスのアクセス・ポイントへのハンドオーバを実行する手段を含む。
【００１２】
また、別の態様では、少なくとも１つのコンピュータに対して、デバイスの送信電力に関する１または複数のパラメータを受信させるためのコードと、少なくとも１つのコンピュータに対して、１または複数のパラメータをしきい値と比較させるためのコードと、を有するコンピュータ読取可能な媒体を含む、無線ネットワークにおける干渉を緩和するためのコンピュータ・プログラム製品が提供される。このコンピュータ読取可能な媒体はさらに、少なくとも１つのコンピュータに対して、この比較に少なくとも部分的に基づいて、デバイスのアクセス・ポイントへのハンドオーバを実行させるためのコードを含む。
【００１３】
さらに、態様では、デバイスの送信電力に関する１または複数のパラメータを受信するための通信パラメータ構成要素と、１または複数のパラメータをしきい値と比較するためのハンドオーバ判定構成要素と含む、無線ネットワークにおける干渉を緩和するための装置が提供される。この装置はさらに、この比較に少なくとも部分的に基づいて、デバイスのアクセス・ポイントへのハンドオーバを実行するためのハンドオーバ構成要素を含む。
【００１４】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１５】
開示された態様は、以下において、同一符号が同一要素を示す添付図面と連携して説明され、開示された態様を、限定することなく、例示するために提供される。
【図１】図１は、無線ネットワークにおける干渉を緩和するためのシステムの例のブロック図である。
【図２】図２は、無線ネットワークにおける干渉を緩和するためにデバイスをハンドオーバするか否かを判定するためのシステムの例のブロック図である。
【図３】図３は、１または複数のパラメータに基づいて、デバイス通信のハンドオーバを実行するための方法の例の態様のフロー・チャートである。
【図４】図４は、送信電力レポートの数に基づいて、デバイスの通信をハンドオーバするか否かを判定するための方法の例の態様のフロー・チャートである。
【図５】図５は、さまざまなパラメータに基づいて、デバイスの通信をハンドオーバするか否かを判定する方法の例の態様のフロー・チャートである。
【図６】図６は、本明細書に記載されたさまざまな態様にしたがうモバイル・デバイスの例のブロック図である。
【図７】図７は、干渉を緩和するためにデバイスをハンドオーバするか否かを判定するためのシステムの例のブロック図である。
【図８】図８は、１または複数のパラメータに基づいて、デバイスの通信のハンドオーバを実行するシステムの例のブロック図である。
【図９】図９は、本明細書に記載されたさまざまな態様にしたがう無線通信システムの例のブロック図である。
【図１０】図１０は、本明細書に記載されたさまざまなシステムおよび方法と共に適用されうる無線ネットワーク環境の例の例示である。
【図１１】図１１は、多くのデバイスをサポートするように構成され、本明細書に記載された態様が実施される無線通信システムの例を例示する。
【図１２】図１２は、ネットワーク環境内でのフェムトセルの配置を可能にする典型的な通信システムの例示である。
【図１３】図１３は、定義されたいくつかのトラッキング・エリアを有する有効通信範囲マップの例を例示する。
【発明を実施するための形態】
【００１６】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１７】
本明細書において説明するように、送信電力を高めているデバイスによって、このデバイスと通信している１または複数のデバイスまたはアクセス・ポイントに引き起こされる過度の干渉を防ぐために、デバイスを、低電力アクセス・ポイントから別のアクセス・ポイントへハンドオーバすることに関するさまざまな態様が表される。特に、デバイスは、低電力アクセス・ポイントと通信している場合、マクロセル・アクセス・ポイント（または、その他のアクセス・ポイント）および／またはそれと通信しているデバイスからの干渉を緩和するために、送信電力を高める場合がある。しかし、このように電力を高めることは、干渉をも引き起こしうる。したがって、一例では、低電力アクセス・ポイントは、潜在的に引き起こされる干渉を緩和するために、アップリンク通信に関する１または複数のパラメータに少なくとも部分的に基づいて、デバイスを別のアクセス・ポイントへハンドオーバしうる。
【００１８】
例えば、１または複数のパラメータは、デバイスが、送信電力上限のしきい差分において、または、送信電力上限のしきい差分以内で、送信電力を達成しているか、および／または、矛盾なく達成しているか、デバイスの電力制御コマンド、設定点、フレーム誤り率（ＦＥＲ）等他のアクセス・ポイントに関する雑音立ち上がりまたはアップリンク負荷、ダウンリンク・パイロット強度、アップリンク・スループット・バッファ・サイズ等を備えうる。これらのパラメータおよび／または類似のパラメータは、低電力基地局と通信しているデバイスのアップリンク・サービス品質のみならず、引き起こされたアップリンク干渉のレベルを示しうる。そして、アップリンク・サービス品質を保証しながら、アップリンク干渉を緩和するために、デバイスを（例えば、同じまたは異なる周波数内の、および／または、同じまたは異なるラジオ・アクセス技術（ＲＡＴ）に関連する）別の基地局へハンドオーバするか否かを判定するために使用されうる。
【００１９】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２０】
さらに、本明細書では、さまざまな態様が、有線端末または無線端末でありうる端末に関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末（単数または複数）との通信のために利用され、アクセス・ポイント、ノードＢ、イボルブド・ノードＢ（ｅＮＢ）、Ｈ（ｅ）ＮＢ、あるいはその他いくつかの用語で称されうる。
【００２１】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２２】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された団体からの文書に記載されている。さらに、ｃｄｍａ２０００およびＵＭＢは、「第３世代パートナシップ計画２」（３ＧＰＰ２）と命名された団体からの文書に記載されている。さらに、このような無線通信システムは、しばしばペアをなさない無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２３】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２４】
図１に示すように、干渉を緩和するためにデバイスをハンドオーバすることを容易にする無線通信システム１００の例が例示される。システム１００は、無線ネットワークおよび／または１または複数のその構成要素へのアクセスを受信するために、サービス提供アクセス・ポイント１０４と通信しうるデバイス１０２を含む。システム１００はまた、その他のアクセス・ポイント１０６および／またはアクセス・ポイント１０８を備えうる。デバイス１０２は、これらと潜在的に干渉しうる。システム１００はまた、オプションとして、アクセス・ポイント１０６，１０８と通信するその他のデバイス１１０，１１２を備えうる。デバイス１０２は、サービス提供アクセス・ポイント１０４と通信している場合、さらにこれらと干渉しうる。例えば、デバイス１０２，１１０および／または１１２はおのおの、ＵＥ、モデム（またはその他のテザー・デバイス）、これらの一部等でありうる。アクセス・ポイント１０４，１０６および／または１０８は、（例えば、本明細書において集合的にＨ（ｅ）ＮＢと称されるホーム・ノードＢまたはホーム・イボルブド・ノードＢのような）フェムトセル・アクセス・ポイント、ピコセル・アクセス・ポイント、マクロセル・アクセス・ポイント、モバイル基地局、中継ノード、（例えば、ピア・トゥ・ピアまたはアド・ホック・モードで通信している）デバイス、これらの一部等でありうる。
【００２５】
例によれば、デバイス１０２は、サービス提供アクセス・ポイント１０４によって制御されうる送信電力で、サービス提供アクセス・ポイント１０４に送信しうる。別の例において、サービス提供アクセス・ポイント１０４は、送信電力上限をデバイス１０２へ通信し、デバイス１０２は、この送信電力上限を維持しうる。例えば、デバイス１０２は、サービス提供アクセス・ポイント１０４からの信号品質の低下を検出した場合、他のアクセス・ポイントまたはこれと通信しているデバイスからの干渉を検出した場合、および／またはその他の場合、送信電力を高めうる。しかしながら、送信電力を高めると、デバイス１０２は、アクセス・ポイント１０６、および／または、例えばデバイス１１０のようにアクセス・ポイント１０６と通信しているデバイス、アクセス・ポイント１０８、および／または、例えばデバイス１１２のようにアクセス・ポイント１０８と通信しているデバイス等と干渉するようになりうる。この点に関し、例えば、サービス提供アクセス・ポイント１０４は、デバイス１０２の通信を別のアクセス・ポイントへハンドオーバするか否かを判定する際に、１または複数のアップリンク通信パラメータを評価しうる。
【００２６】
例えば、サービス提供アクセス・ポイント１０４は、デバイス１０２の送信電力、および／または、この送信電力が、デバイス１０２に割り当てられた送信電力上限に堅実に達しているか否かを判定しうる。送信電力がしきいレベルである場合、および／または、送信電力が上限（および／またはそのしきいレベル）に達している場合、サービス提供アクセス・ポイント１０４は、デバイス１０２を、例えばアクセス・ポイント１０６および／またはアクセス・ポイント１０８のような１または複数のアクセス・ポイントへハンドオーバしうる。
【００２７】
別の例において、サービス提供アクセス・ポイント１０４は、デバイス１０２に関連するＦＥＲ、設定点、電力制御コマンド等を決定しうる。そして、デバイス１０２をハンドオーバするか否かを判定するために、１または複数のこれらメトリクスを利用しうる。例えば、ＦＥＲは、音声通信および／またはデータ通信に関連しうる。そして、パケットが正しく受信されたか、デバイス１０２によって受信されたか等に関してデバイス１０２から受信された制御データに少なくとも部分的に基づいて測定されたもののうちの少なくとも１つでありうる。例えば、ＦＥＲをしきい値レベルと比較することは、デバイス１０２によって使用されている送信電力を示しうる。例えば、より高いＦＥＲは、デバイス１０２が、非常に高い送信電力を用いている訳ではないことを示しうる。この例では、サービス提供アクセス・ポイント１０４に対するデバイス１０２の距離または位置はまた、このＦＥＲが期待されるべきであるか否か、または、低いか高いか、を判定するために使用されうる。一例において、設定点は、デバイス１０２が、ある信号対雑音比（ＳＮＲ）を達成することを可能にする電力に相当しうる。ここで、この電力は、デバイス１０２において受信されたパイロット信号を測定することに少なくとも部分的に基づいて、サービス提供アクセス・ポイント１０４によって決定されうる。したがって、設定点は、デバイス１０２によって使用される送信電力を示しうる。これは、デバイス１０２が干渉を引き起こすか否かを判定するために使用されうる。さらに、この例では、設定点が、期待される所与の距離よりも高いか低いかを判定するために、サービス提供アクセス・ポイント１０４への相対距離が使用されうる。さらに、デバイス１０２のアップリンク通信に関する電力制御コマンドは、サービス提供アクセス・ポイント１０４が、デバイス１０２によって利用される送信電力を高めているか否かを示しうる。これらのパラメータの少なくとも１つが、しきいレベル以上である場合、サービス提供アクセス・ポイント１０４は、送信電力を高めることにより引き起こされる干渉を緩和するために、デバイス１０２をハンドオーバすることを決定しうる。
【００２８】
また別の例において、サービス提供アクセス・ポイント１０４は、（例えば、期間にわたって受信されたパケットの数に少なくとも部分的に基づいて、）デバイス１０２に対応するアップリンク・スループット、および／または、そのアップリンク・バッファ・サイズを決定しうる。例えば、これらのメトリクスは、送信電力上限に関するヘッドルームが、デバイス１０２について減少しており、スループットが低い（例えば、しきいレベル以下）か、または、バッファ・サイズが大きい（例えば、しきいレベルを超える）ことを示すインジケーションでありうる。これはまた、送信電力を高めているデバイス１０２による潜在的な干渉を示しうる。このパラメータは、サービス提供アクセス・ポイント１０４によってデバイス１０２へ提供されたリソース許可に関連しており、もって、デバイス１０２の送信電力が送信電力上限に近付いているか否かを判定するために、アップリンク・スループットおよび／またはバッファ・サイズが、許可サイズに基づくしきい値と比較されうることが認識されるべきである。
【００２９】
別の例において、サービス提供アクセス・ポイント１０４は、デバイス１０２をハンドオーバするか否かを判定するために、１または複数の受信パラメータを評価しうる。一例では、デバイス１０２は、ダウンリンク・パイロット信号Ｅｃ／Ｉｏ（合計雑音比に対する受信パイロット・エネルギ）、経路喪失等を、デバイス１０２において受信されたように、サービス提供アクセス・ポイント１０４へ通信しうる。サービス提供アクセス・ポイント１０４は、デバイス１０２をハンドオーバするか否かを判定するために、このようなパラメータを使用しうる。さらに、例において、サービス提供アクセス・ポイント１０４は、アクセス・ポイント１０６から、アップリング負荷パラメータおよび／または雑音立ち上がりパラメータを受信しうる。ここで、アクセス・ポイント１０６は、ハンドオーバ時に、デバイス１０２の通信を受信する候補である。サービス提供アクセス・ポイント１０４は、デバイス１０２をハンドオーバするか否かを決定するために、アクセス・ポイント１０６において、デバイス１０２の期待されるパフォーマンスを判定するためにこの情報を利用しうる。サービス提供アクセス・ポイント１０４は、デバイス１０２をハンドオーバするか否かを判定するために、前述したパラメータの組み合わせを利用しうることが認識されるべきである。さらに、例えば、サービス提供アクセス・ポイント１０４は、同じＲＡＴまたは異なるＲＡＴに関して、同じ動作周波数または異なる動作周波数で、および／またはその他によって、デバイス１０２をアクセス・ポイントへハンドオーバしうる。
【００３０】
図２に移って、１または複数の通信パラメータに基づいてデバイス通信をハンドオーバすることを容易にする無線通信システム２００の例が例示される。説明されるように、システム２００は、１または複数の無線ネットワーク構成要素へのアクセスを受信するために、サービス提供アクセス・ポイント２０４と通信するデバイス２０２を備える。さらに、システム２００は、デバイス２０２に関連する１または複数の通信パラメータに少なくとも部分的に基づいて、デバイス２０２がハンドオーバされうる別のアクセス・ポイント２０６を含みうる。一例において、１または複数の通信パラメータは、デバイス２０２によって利用される送信電力、すなわち、デバイス２０２が、例えばアクセス・ポイント２０６および／またはこれと通信しているデバイスのような１または複数のアクセス・ポイントへの干渉を潜在的に引き起こしているか否か、に関連している。例えば、デバイス２０２は、ＵＥ、モデム等でありうる。そして、サービス提供アクセス・ポイント２０４およびアクセス・ポイント２０６はおのおの、マクロセル、フェムトセル、ピコセル、または類似のアクセス・ポイント、Ｈ（ｅ）ＮＢ等でありうる。
【００３１】
デバイス２０２は、オプションとして、電力をアクセス・ポイントへ通信するための送信電力レポート構成要素２０８、および／または、１または複数の他のパラメータをアクセス・ポイントへ通信するためのパラメータ提供構成要素２１０を備えうる。デバイス２０２はまた、アクセス・ポイントから別のアクセス・ポイントへのハンドオーバを実行するためのハンドオーバ構成要素２１２を備えうる。
【００３２】
サービス提供アクセス・ポイント２０４は、デバイス通信に関連する１または複数のパラメータを決定またはそうではない場合には取得するための通信パラメータ構成要素２１４と、１または複数のパラメータに少なくとも部分的に基づいて、デバイスをハンドオーバするか否かを判定するためのハンドオーバ判定構成要素２１６と、デバイスの別のアクセス・ポイントへのハンドオーバを実行するためのハンドオーバ構成要素２１８とを備えうる。さらに、通信パラメータ構成要素２１４は、オプションとして、送信電力をレポートするために、１または複数のパラメータをデバイスへ指定するための電力レポート設定構成要素２２０、および／または、レポートされた送信電力をデバイスから取得するための電力レポート受信構成要素２２２を備えうる。通信パラメータ構成要素２１４はまた、オプションとして、デバイスの通信に関する１または複数のパラメータを決定するためのパラメータ計算構成要素２２４、および／または、１または複数の通信パラメータをデバイスから取得するためのパラメータ受信構成要素２２６を備えうる。
【００３３】
アクセス・ポイント２０６は、オプションとして、デバイス２０２をハンドオーバするか否かを判定するために、１または複数のパラメータをサービス提供アクセス・ポイント２０４へ通信するためのパラメータ提供構成要素２２８を備えうる。
【００３４】
例によれば、デバイス２０２は、無線ネットワーク・アクセスを受信するために、サービス提供アクセス・ポイント２０４と通信しうる。デバイス２０２は、サービス提供構成要素２０４と通信するための送信電力を高めうる。これは、１または複数の周囲のアクセス・ポイント、および／または、それと通信しているデバイスへの干渉を引き起こしうる。したがって、例えば、サービス提供アクセス・ポイント２０４は、このような干渉を避けるためデバイス２０２をハンドオーバするか否かを判定するために、デバイス２０２および／またはその送信電力に関する１または複数の通信パラメータを評価しうる。したがって、例えば、通信パラメータ構成要素２１４は、デバイス２０２に関するパラメータを決定、または、そうではない場合には、取得しうる。そして、ハンドオーバ判定構成要素２１６は、１または複数のパラメータに基づいて、デバイス２０２をアクセス・ポイント２０６へハンドオーバするか否かを判定しうる。ハンドオーバ判定構成要素２１６が、デバイス２０２をハンドオーバすると判定した場合、ハンドオーバ構成要素２１８が、ハンドオーバを実行しうる。
【００３５】
例えば、ハンドオーバ構成要素２１８は、デバイス２０２から以前に受信された測定レポートを有しうる。そして、この測定レポートに基づいて、デバイス２０２をハンドオーバするアクセス・ポイント（例えば、最も高い信号対雑音比（ＳＮＲ）がレポートされたアクセス・ポイント）を決定しうる。例えば、ハンドオーバ構成要素２１８は、他のアクセス・ポイントおよび／またはそれと通信しているデバイスへのデバイス２０２からの潜在的な干渉をさらに緩和するために、例えば測定レポートにおけるアクセス・ポイントが、サービス提供アクセス・ポイント２０４と異なる周波数で動作しているか否か、サービス提供アクセス・ポイント２０４と異なるＲＡＴを使用しているか否か等のような１または複数のさらなる考慮または代替的な考慮に基づいて、ハンドオーバのためのアクセス・ポイントを選択しうる。
【００３６】
１つの具体的な例において、電力レポート受信構成要素２２２は、デバイス２０２から１または複数の送信電力レポートを取得しうる。そして、ハンドオーバ判定構成要素２１６は、１または複数の送信電力レポートに少なくとも部分的に基づいて、デバイス２０２をハンドオーバするか否かを判定しうる。この例において、送信電力レポート構成要素２０８は、定期的な送信電力レポートを、サービス提供アクセス・ポイント２０４へ送信しうる。これは、例えば、レポート頻度、１または複数のレポート・イベント（例えば、送信電力が、送信電力上限、または、送信電力上限に関連または独立したその他のしきい値）等のように、送信電力レポートを通信することに関して受信または設定された１または複数のパラメータに基づきうる。一例において、電力レポート設定構成要素２２０は、送信電力レポートをデバイス２０２へ通信することに関する１または複数のパラメータを指定しうる。送信電力レポート構成要素２０８は、送信電力レポートをサービス提供アクセス・ポイント２０４へいつ通信するのかを決定するために、１または複数のパラメータを取得し、利用しうる。
【００３７】
この例において、電力レポート受信構成要素２２２は、デバイス２０２から１または複数の送信電力レポートを取得しうる。そして、ハンドオーバ判定構成要素２１６は、この送信電力レポートに少なくとも部分的に基づいて、デバイス２０２をハンドオーバするか否かを判定しうる。例えば、ハンドオーバ判定構成要素２１６は、例えば、このレポートで示された送信電力（例えば、この電力が所与のレポートや、複数のレポートにおいて、しきいレベルを超えているか否か、複数のレポートにわたる平均電力がしきいレベルを超えているか等）のように、１または複数の送信電力レポートにおける情報に少なくとも部分的に基づいて、デバイス２０２をハンドオーバするか否かを判定しうる。別の例では、送信電力がしきいレベル（例えば、送信電力上限、送信電力上限のしきい差分内等）に達した場合、送信電力レポートを送信するように、電力レポート設定構成要素２２０がデバイス２０２を設定すると、ハンドオーバ判定構成要素２１６は、期間中にデバイス２０２から受信された送信電力レポートの数に少なくとも部分的に基づいて、デバイス２０２をハンドオーバするか否かを判定しうる。例えば、このレポートの数が、しきい数を超えた場合、これは、デバイス２０２が、高い送信電力によって、アクセス・ポイント、または、１または複数のアクセス・ポイントと通信しているデバイス、と干渉する可能性が高いことを示しうる。したがって、ハンドオーバ構成要素２１８は、ハンドオーバ判定構成要素２１６がそう判定した場合、デバイス２０２の通信をハンドオーバしうる。
【００３８】
別の例において、パラメータ計算構成要素２２４は、デバイス２０２の通信に関する１または複数のパラメータを決定しうる。これは、ハンドオーバ判定構成要素２１６が、デバイス２０２をハンドオーバするか否かを判定するために利用しうる。例えば、パラメータ計算構成要素２２４は、例えば、デバイス２０２に関しするＦＥＲ、設定点、電力制御コマンド等を決定しうる。例えば、パラメータ計算構成要素２２４は、１または複数のフレームが適切に受信されたか否かに関する、デバイス２０２からの制御情報（例えば、デバイス２０２からのハイブリッド自動反復／要求（ＨＡＲＱ）フィードバック）に少なくとも部分的に基づいて、ＦＥＲを決定しうる。説明したように、何れの場合であれ、ハンドオーバ判定構成要素２１６は、ＦＥＲをしきいＦＥＲと比較しうる。さらに、例において、ハンドオーバ判定構成要素２１６は、例えば、デバイス２０２とサービス提供アクセス・ポイント２０４との間の相対距離、または、デバイス２０２における通信品質に影響を与えうるその他のパラメータのような、デバイス２０２および／またはサービス提供アクセス・ポイント１０４の１または複数のパラメータに少なくとも部分的に基づいて、しきいＦＥＲを決定しうる。したがって、例えば、ハンドオーバ判定構成２１６は、デバイス２０２において期待されるしきいＦＥＲを決定しうる。そして、デバイス２０２における送信電力が送信電力上限に近付いているか否かを判定するために、この期待されるしきい値とＦＥＲを比較しうる。
【００３９】
さらに、サービス提供アクセス・ポイント２０４は、デバイス２０２から受信されたパイロット信号に少なくとも部分的に基づいて、ＳＮＲを達成するための、デバイス２０２の設定点を設定しうる。この例において、ハンドオーバ判定構成要素２１６は同様に、サービス提供アクセス・ポイント２０４に対するデバイス２０２の距離または位置に基づいて、期待されるしきい設定点を決定しうる。したがって、設定点を、期待されるしきい値と比較することは、デバイス２０２が送信電力上限近傍の電力で送信しているか否かを示しうる（例えば、より高い設定点は、設定点が、期待されるしきい値よりも低いことよりも、送信電力上限により近いことを示しうる。）。また別の例では、パラメータ計算構成要素２２４は、電力制御コマンドをデバイス２０２へ通信することに関する１または複数のパラメータ（例えば、期間にわたってサービス提供アクセス・ポイント２０４によってデバイス２０２へ通信された電力制御コマンドの数、電力制御コマンドが電力増加を示しているか否か、電力制御コマンドに基づく合計電力増加等）を決定しうる。何れの場合であれ、ハンドオーバ判定構成２１６は、デバイス２０２の通信をハンドオーバするか否かを判定するために、これらパラメータを、受信または設定されたしきい値と比較しうる。
【００４０】
別の例では、パラメータ受信構成要素２２６は、アップリンク通信パフォーマンスに関する１または複数のパラメータを取得しうる。例えば、パラメータ提供構成要素２１０は、例えば、アップリンク・スループット、アップリンク・バッファ・サイズ、デバイス２０２において受信されたパイロット信号の強度、デバイス２０２において経験された経路喪失等のような１または複数のパラメータを決定し、サービス提供アクセス・ポイント２０４へ通信しうる。例えば、パラメータ提供構成要素２１０は、期間にわたってサービス提供アクセス・ポイント２０４へ通信されたパケットの数に少なくとも部分的に基づいて、アップリンク・スループットを決定しうる。別の例において、パラメータ提供構成要素２１０は、ある時点において、サービス提供アクセス・ポイント２０４、または、１または複数のその他のアクセス・ポイントへ送信されるべきアップリンク・バッファにおけるパケットの数に少なくとも部分的に基づいて、アップリンク・バッファのサイズを決定しうる。さらに、例えば、パラメータ提供構成要素２１０は、サービス提供アクセス・ポイント２０４、および／または、例えばアクセス・ポイント２０６のような１または複数のアクセス・ポイントからのパイロット信号のＥｃ／Ｉｏまたはその他の信号品質測定値を判定しうるか、および／または、このパイロット信号またはその他の信号に基づいてその経路喪失を判定しうる。
【００４１】
この例では、ハンドオーバ判定構成要素２１６は同様に、デバイス２０２をハンドオーバするか否かを判定するために、デバイス２０２から受信された１または複数のパラメータを、設定または受信されたしきい値と比較しうる。さらに、説明しているように、この比較は、１または複数のその他の値に関連しうる。例えば、アップリンク・スループットは、デバイス２０２の送信電力が送信電力上限の近傍であるか否かを判定するために、サービス提供アクセス・ポイント２０４から受信されたアップリンク許可サイズに関して測定されうる。例えば、（例えば、関連するリソース許可サイズに対して）低いスループットまたは高いバッファ・サイズは、バッファ・サイズを下げるためにスループットを高めるための、送信電力における高い送信電力またはありうる送信電力の増加を示しうる。デバイス２０２において受信されたパイロット信号のＥｃ／Ｉｏが低いことは、送信電力におけるありうる増加を示しうる。
【００４２】
また別の例の例では、アクセス・ポイント２０６は、デバイス２０２におけるアップリンク通信に関する１または複数のパラメータをサービス提供アクセス・ポイント２０４へ通信しうる。例えば、これは、サービス提供アクセス・ポイント２０４（例えば、ハンドオーバ手順の一部として）またはその他からの要求に基づいて生じうる。例において、パラメータ提供構成要素２２８は、アクセス・ポイント２０６におけるアップリンク負荷および／または雑音フロアに関する１または複数のパフォーマンス・パラメータをサービス提供アクセス・ポイント２０４へ通信しうる。例えば、パラメータ提供構成要素２２８は、パフォーマンス・パラメータを、バックホール・リンクまたはブロードキャスト・メッセージを介して、サービス提供アクセス・ポイント２０４へ通信しうる。パラメータ受信構成要素２２６は、これにしたがって、１または複数のパフォーマンス・パラメータを取得しうる。そして、ハンドオーバ判定構成要素２１６は、デバイス２０２をアクセス・ポイント２０６へハンドオーバするか否かを判定するために、１または複数のパフォーマンス・パラメータを比較しうる。この例において、アップリンク負荷および／または雑音フロアに関するパフォーマンス・パラメータは、アクセス・ポイント２０６と通信している場合におけるデバイス２０２の期待されるパフォーマンスを判定するために使用されうる。例えば、これは、１または複数のパフォーマンス・パラメータをパフォーマンスしきい値（例えば、デバイスがアクセス・ポイントにハンドオーバされるべきか否かを示すために使用されるしきいアップリンク負荷、雑音フロア等）と比較することを含みうる。したがって、パフォーマンス・パラメータが、少なくともしきいレベルにあるとハンドオーバ判定構成要素２１６が判定した場合、説明しているように、ハンドオーバ構成要素２１８は、別のアクセス・ポイント、または、それと通信しているデバイスへの干渉を緩和するために、デバイス２０２をアクセス・ポイント２０６へハンドオーバしうる。
【００４３】
図３−５に示すように、無線ネットワークにおける干渉を緩和するためにデバイスをハンドオーバすることに関する方法の例が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４４】
図３に示すように、無線ネットワークにおける干渉を緩和するためにデバイスのハンドオーバを実行することを容易にする方法３００の例が示される。３０２では、デバイスの送信電力に関する１または複数のパラメータが受信されうる。例えばこれは、例えば、アップリンク・スループット、アップリンク・バッファ・サイズ、受信されたパイロット信号の強度、経路喪失等のような１または複数のパラメータをデバイスから受信することを含みうる。別の例では、これは、例えば、期間にわたってデバイスから受信された送信電力レポートの数、ＦＥＲ、設定点、デバイスへ通信された１または複数の電力制御コマンドに関連するパラメータ等のような１または複数のパラメータを、デバイスとの通信に少なくとも部分的に基づいて決定することを含みうる。３０４では、１または複数のパラメータが、しきい値と比較されうる。３０６では、この比較に少なくとも部分的に基づいて、デバイスの、アクセス・ポイントへのハンドオーバが実行されうる。したがって、例えば、しきい値に基づいて、デバイスが、別のアクセス・ポイントまたはデバイスと干渉しうると１または複数のパラメータが示した場合、デバイスは、別のアクセス・ポイントへハンドオーバされうる。さらに、別のアクセス・ポイントが、別の動作周波数で、および／または、別のＲＡＴを用いて通信すると判定することに少なくとも部分的に基づいて、デバイスのハンドオーバのために、別のアクセス・ポイントが選択されうる。
【００４５】
図４に移って、無線ネットワークにおける干渉を緩和するためにデバイスをハンドオーバするか否かを判定することを容易にする方法４００の例が示される。４０２では、１または複数の基準に基づいて、送信電力レポートを通信するようにデバイスが設定されうる。例えば、デバイスは、デバイスにおける送信電力がしきいレベル（例えば、送信電力上限、送信電力上限からのしきいレベル等）に達した場合、送信電力レポートを通信するように構成されうる。したがって、デバイスは、この基準に基づいて、１または複数の送信電力レポートを通信しうる。４０４では、期間にわたってデバイスから受信された送信電力レポートの数が判定されうる。４０６では、デバイスをハンドオーバするか否かが、この送信電力レポートの数に基づいて判定されうる。したがって、例えば、期間にわたる送信電力レポートの数が、しきい値を超えた場合、これは、デバイスが、送信電力上限に関する電力ヘッドルームを使い果たし、もって、１または複数のアクセス・ポイントまたはデバイスと干渉しているかもしれないことを示しうる。したがって、デバイスは、別のアクセス・ポイントへハンドオーバされうる。
【００４６】
図５に示すように、無線ネットワークにおける干渉を緩和するためにデバイスをハンドオーバするか否かを判定するための方法５００の例が示される。５０２では、デバイスの送信電力に関する１または複数のパラメータが受信されうる。例えば、これは、例えば、アップリンク・スループット、アップリンク・バッファ・サイズ、受信されたパイロット信号の強度等のような１または複数のパラメータをデバイスから受信することを含みうる。別の例において、これは、例えば、期間にわたってデバイスから受信された送信電力レポートの数、ＦＥＲ、設定点、デバイスに通信された１または複数の電力制御コマンドに関するパラメータ等のような１または複数のパラメータを、デバイスとの通信に少なくとも部分的に基づいて決定することを含みうる。５０４では、アクセス・ポイントに関する１または複数のパフォーマンス・パラメータが、アクセス・ポイントから受信されうる。例えば、１または複数のパフォーマンス・パラメータは、アクセス・ポイントにおけるアップリンク負荷、アクセス・ポイントにおける雑音立ち上がり等に対応しうる。これは、アクセス・ポイントにおけるデバイスの期待されるパフォーマンスを示しうる。あるいは、判定するために使用されうる。したがって、５０６では、１または複数のパラメータおよび１または複数のパフォーマンス・パラメータに少なくとも部分的に基づいて、デバイスをアクセス・ポイントへハンドオーバするか否かが判定されうる。したがって、アクセス・ポイントが、高いアップリンク負荷または雑音立ち上がりを有している場合、別のアクセス・ポイントがハンドオーバのために考慮されるか、および／または、その他の場合、アクセス・ポイントへのハンドオーバが禁止されうる。
【００４７】
本明細書に記載された１または複数の態様によれば、説明されているように、送信電力に関する１または複数のパラメータ、アクセス・ポイントのパフォーマンス・パラメータ等に基づいて、デバイスをハンドオーバするか否かを判定することに関して推論がなされうることが認識されるだろう。本明細書で使用されるように、「推論する」または「推論」という用語は、一般に、イベントおよび／またはデータによって取得されたような観察のセットから、システム、環境、および／または、ユーザの状態の推論、あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができうる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００４８】
図６は、無線ネットワークにおける干渉を緩和するために、送信電力または１または複数のパラメータをレポートすることを容易にするモバイル・デバイス６００の例示である。モバイル・デバイス６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機６０２を備えうる。受信機６０２は、受信したシンボルを復調し、それらをチャネル推定のためにプロセッサ６０６へ提供する復調器６０４を備えうる。プロセッサ６０６は、受信機６０２によって受信された情報の分析、および／または、送信機６０８による送信のための情報の生成に特化されたプロセッサであるか、モバイル・デバイス６００の１または複数の構成要素を制御するプロセッサであるか、および／または、受信機６０２によって受信された情報の分析と、送信機６０８による送信のための情報の生成と、モバイル・デバイス６００の１または複数の構成要素の制御との両方を行うプロセッサでありうる。
【００４９】
モバイル・デバイス６００はさらにメモリ６１０を備えうる。このメモリ６１０は、プロセッサ６０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ６１０はさらに、（例えば、パフォーマンス・ベース、容量ベース等での）チャネルの推定および／または利用に関連付けられたアルゴリズムおよび／またはプロトコルを格納しうる。
【００５０】
本明細書に記載されたデータ・ストア（例えば、メモリ６１０）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ６１０は、限定される訳ではないが、これらおよびその他任意の適切なタイプのメモリを備えることが意図される。
【００５１】
プロセッサ６０６はさらに、オプションとして、送信電力レポート構成要素２０８に類似しうる送信電力レポート構成要素６１２、パラメータ提供構成要素２１０に類似しうるパラメータ提供構成要素６１４、および／または、ハンドオーバ構成要素２１２に類似しうるハンドオーバ構成要素６１６に動作可能に接続されうる。モバイル・デバイス６００はさらに、送信機６０８による、例えば基地局、他のモバイル・デバイス等への送信のための信号を変調する変調器６１８を備える。さらに、例えば、説明されているように、モバイル・デバイス６００は、複数のネットワーク・インタフェースのための複数の送信機６０８を備えうる。プロセッサ６０６と別に示されているが、送信電力レポート構成要素６１２、パラメータ提供構成要素６１４、ハンドオーバ構成要素６１６、復調器６０４、および／または、変調器６１８は、プロセッサ６０６または複数のプロセッサ（図示せず）のうちの一部でありうることが認識されるべきである。
【００５２】
図７は、無線通信を用いて、１または複数のデバイスとの通信を容易にするシステム７００の例示である。システム７００は、（例えば、記載されているように、複数のネットワーク技術のものでありうる）複数の受信アンテナ７０６を介して１または複数のモバイル・デバイス７０４から信号（単数または複数）を受信する受信機７１０と、（例えば、記載されているように、複数のネットワーク技術のものでありうる）複数の送信アンテナ７０８を介して１または複数のモバイル・デバイス７０４へ送信する送信機７２８とを有する、実質的に任意の基地局（例えば、フェムトセル、ピコセル、マクロセル等のような小規模の基地局や、移動基地局）やリレー等でありうる基地局７０２を備える。さらに、一例において、送信機７２８は、有線フロント・リンクを介してモバイル・デバイス７０４へ送信しうる。受信機７１０は、１または複数の受信アンテナ７０６から情報を受信する。さらに、受信した情報を復調する復調器７１２と動作可能に関連付けられている。さらに、例において、受信機７１０は、有線バックホール・リンクから受信しうる。さらに、個別のアンテナとして示されているが、少なくとも１つの送信アンテナ７０８は、単一のアンテナとして、少なくとも１つの受信アンテナ７０６と結合されうることが認識されるべきである。復調されたシンボルは、図６に関連して上述されたプロセッサと類似のプロセッサ７１４によって分析される。プロセッサ７１４は、信号（例えばパイロット）強度および／または干渉強度を推定することに関連する情報、モバイル・デバイス７０４（または（図示しない）別の基地局）へ／から送信される／受信されたデータ、および／または、本明細書に記載されたさまざまな動作および機能を実行することに関連するその他任意の適切な情報  を格納するメモリ７１６に接続されている。
【００５３】
プロセッサ７１４は、さらに、オプションとして、送信パラメータ要素２１４に類似しうる送信パラメータ構成要素７１８、ハンドオーバ判定構成要素２１６に類似しうるハンドオーバ判定構成要素７２０、ハンドオーバ構成要素２１８に類似しうるハンドオーバ構成要素７２２、および／または、パラメータ提供構成要素２２８に類似しうるパラメータ提供構成要素７２４に接続されている。さらに、例えば、プロセッサ７１４は、送信されるべき信号を、変調器７２６を用いて変調し、変調された信号を、送信機７２８を用いて送信しうる。送信機７２８は、Ｔｘアンテナ７０８を介してモバイル・デバイス７０４へ信号を送信しうる。さらに、プロセッサ７１４と別に示されているが、通信パラメータ構成要素７１８、ハンドオーバ判定構成要素７２０、ハンドオーバ構成要素７２２、パラメータ提供構成要素７２４、復調器７１２、および／または、変調器７２６は、プロセッサ７１４または複数のプロセッサ（図示せず）のうちの一部であることができ、および／または、プロセッサ７１４による実行のためにメモリ７１６内に命令群として格納されうることが認識されるべきである。
【００５４】
図８に示すように、デバイスのための送信電力上限を決定するためのシステム８００が例示される。例えば、システム８００は、アクセス・ポイント内に少なくとも部分的に存在しうる。システム８００は、プロセッサ、ソフトウェア、またはこれらの組み合わせ（例えば、ファームウェア）によって実現される機能を表す機能ブロックでありうる機能ブロックを含むものとして示されることが認識されるべきである。システム８００は、連携して動作しうる電子構成要素の論理グループ８０２を含む。例えば、論理グループ８０２は、デバイスの送信電力に関する１または複数のパラメータを受信するための電子構成要素８０４を含みうる。例えば、これは、例えばアップリンク・スループット、アップリンク・バッファ・サイズ、受信されたパイロット信号の強度等のような１または複数のパラメータをデバイスから受信することを含みうる。別の例において、これは、例えば、期間にわたってデバイスから受信された送信電力レポートの数、ＦＥＲ、設定点、デバイスに通信された１または複数の電力制御コマンドに関するパラメータ等のような１または複数のパラメータを、デバイスとの通信に少なくとも部分的に基づいて決定することを含みうる。
【００５５】
さらに、論理グループ８０２は、１または複数のパラメータを、しきい値と比較するための電子構成要素８０６を備えうる。例えば、この比較は、説明されているように、干渉を緩和するためにデバイスをハンドオーバするか否かを判定するために使用されうる。したがって、論理グループ８０２はまた、この比較に少なくとも部分的に基づいて、デバイスのアクセス・ポイントへのハンドオーバを実行するための電子構成要素８０８をも備えうる。さらに、説明されるように、デバイスをハンドオーバするか否かを判定するために、例えば、アクセス・ポイントの１または複数のパフォーマンス・パラメータのようなその他のパラメータが考慮されうる。例えば、電子構成要素８０４は、前述したような通信パラメータ構成要素２１４、および／または、１または複数の構成要素を含みうる。さらに、例えば、電子構成要素８０６は、態様において、前述したようなハンドオーバ判定構成要素２１６を含みうる。さらに、説明されているように、電子構成要素８０８は、ハンドオーバ構成要素２１８を含みうる。
【００５６】
さらに、システム８００は、電子構成要素８０４，８０６，８０８に関連付けられた機能を実行するための命令群を保持するメモリ８１０を含みうる。メモリ８１０の外側にあるとして示されているが、電子構成要素８０４，８０６，８０８のうちの１または複数は、メモリ８１０内に存在しうることが理解されるべきである。一例において、電子構成要素８０４，８０６，８０８は、少なくとも１つのプロセッサを備えうる。または、電子構成要素８０４，８０６，８０８おのおのは、少なくとも１つのプロセッサの対応するモジュールでありうる。さらに、追加または代替の例において、電子構成要素８０４，８０６，８０８は、コンピュータ読取可能な媒体を備えるコンピュータ・プログラム製品でありうる。ここで、おのおのの電子構成要素８０４，８０６，８０８は、対応するコードでありうる。
【００５７】
図９に示すように、本明細書に記載されたさまざまな実施形態にしたがった無線通信システム９００が例示されている。システム９００は、複数のアンテナ・グループを含むことができる基地局９０２を含む。例えば、１つのアンテナ・グループは、アンテナ９０４およびアンテナ９０６を含むことができ、別のグループはアンテナ９０８およびアンテナ９１０を備えることができ、さらに別のグループはアンテナ９１２およびアンテナ９１４を含むことができる。おのおののアンテナ・グループについて２本のアンテナしか例示されていないが、２本より多いアンテナ、または２本より少ないアンテナも、各グループのために利用されうる。基地局９０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００５８】
基地局９０２は、例えばモバイル・デバイス９１６およびモバイル・デバイス９２２のような１または複数のモバイル・デバイスと通信しうる。しかしながら、基地局９０２は、モバイル・デバイス９１６およびモバイル・デバイス９２２に類似した実質的に任意の数のモバイル・デバイスと通信しうることが理解されるべきである。モバイル・デバイス９１６、９２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム９００を介して通信するのに適切なその他任意のデバイスでありうる。図示するように、モバイル・デバイス９１６は、アンテナ９１２およびアンテナ９１４と通信している。ここで、アンテナ９１２およびアンテナ９１４は、順方向リンク９１８によってモバイル・デバイス９１６へ情報を送信し、逆方向リンク９２０によってモバイル・デバイス９１６から情報を受信する。さらに、モバイル・デバイス９２２はアンテナ９０４およびアンテナ９０６と通信している。ここで、アンテナ９０４およびアンテナ９０６は、順方向リンク９２４でアクセス端末９２２へ情報を送信し、逆方向リンク９２６でアクセス端末９２２から情報を受信する。周波数分割デュプレクス（ＦＤＤ）システムでは、例えば、順方向リンク９１８は、逆方向リンク９２０によって使用されるものとは異なる周波数帯域を使用し、順方向リンク９２４は、逆方向リンク９２６によって使用されるものとは異なる周波数帯域を使用することができる。さらに、時分割デュプレクス（ＴＤＤ）システムでは、順方向リンク９１８および逆方向リンク９２０は、共通の周波数帯域を使用し、順方向リンク９２４および逆方向リンク９２６は、共通の周波数帯域を使用することができる。
【００５９】
通信するように指定された領域および／またはアンテナのおのおののグループは、基地局９０２のセクタと称されうる。例えば、基地局９０２によってカバーされる領域のセクタ内のアクセス端末に通信するように、複数のアンテナが設計されうる。順方向リンク９１８，９２４による通信では、基地局９０２の送信アンテナは、モバイル・デバイス９１６，９２２の順方向リンク９１８，９２４の信号対雑音比を改善するためにビームフォーミングを利用しうる。また、基地局９０２が、関連付けられた有効通信範囲にランダムに散在したモバイル・デバイス９１６，９２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス９１６，９２２は、図示するように、ピア・トゥ・ピアまたはアド・ホック技術を用いて互いにダイレクトに通信しうる。例によれば、システム９００は、複数入力複数出力（ＭＩＭＯ）通信システムでありうる。さらに、例えば、基地局９０２は、説明するように、アップリンク通信またはその送信電力に関する１または複数のパラメータに基づいて、デバイス９１６および／またはデバイス９２２をハンドオーバするか否かを判定しうる。
【００６０】
図１０は、無線通信システム１０００の例を示す。無線通信システム１０００は、簡潔さの目的で、１つの基地局１０１０と１つのモバイル・デバイス１０５０しか示していない。しかしながら、システム１０００は、１より多い基地局、および／または、１より多いモバイル・デバイスを含むことができ、これら追加の基地局および／またはモバイル・デバイスは、以下に説明する基地局１０１０およびモバイル・デバイス１０５０の例と実質的に同じでも、別のものでもありうることが認識されるべきである。それに加えて、基地局１０１０および／またはモバイル・デバイス１０５０は、その間の無線通信を容易にするために、本明細書に記載されたシステム（図１−２、７−９）、モバイル・デバイス（図６）、および／または方法（図３−５）を適用しうることが認識されるべきである。例えば、本明細書に記載されたシステムおよび／または方法の構成要素または機能は、以下に記載されたメモリ１０３２および／またはメモリ１０７２あるいはプロセッサ１０３０および／またはプロセッサ１０７０の一部となることができ、および／または、開示された機能を実行するために、プロセッサ１０３０および／またはプロセッサ１０７０によって実行されうる。
【００６１】
基地局１０１０では、多くのデータ・ストリームのためのトラフィック・データが、データ・ソース１０１２から送信（ＴＸ）データ・プロセッサ１０１４へ提供される。例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符号化スキームに基づいて符号化し、インタリーブして、符号化されたデータを提供する。
【００６２】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重（ＦＤＭ）、時分割多重（ＴＤＭ）、あるいは符号分割多重（ＣＤＭ）されうる。パイロット・データは一般に、既知の方法で処理される既知のデータ・パターンであり、チャネル応答を推定するためにモバイル・デバイス１０５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ１０３０によって実行または提供される指示によって決定されうる。
【００６３】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００６４】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００６５】
モバイル・デバイス１０５０では、送信された変調された信号が、ＮＲ個のアンテナ１０５２ａ乃至１０５２ｒによって受信され、おのおののアンテナ１０５２からの受信信号が、受信機（ＲＣＶＲ）１０５４ａ乃至１０５４ｒそれぞれに提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６６】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００６７】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００６８】
基地局１０１０では、モバイル・デバイス１０５０からの変調信号が、アンテナ１０２４によって受信され、受信機１０２２によって調整され、復調器１０４０によって復調され、ＲＸデータ・プロセッサ１０４２によって処理されて、モバイル・デバイス１０５０によって送信された逆方向リンク・メッセージが抽出される。さらに、プロセッサ１０３０は、ビームフォーミング重みを決定するためにどのプリコーディング行列を使用するかを決定するために、この抽出されたメッセージを処理する。
【００６９】
プロセッサ１０３０およびプロセッサ１０７０は、基地局１０１０およびモバイル・デバイス１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０，１０７０は、アップリンク通信および／または送信電力に関連する１または複数のパラメータに少なくとも部分的に基づいて、デバイス１０５０の通信をハンドオーバするか否かを判定しうる。
【００７０】
図１１は、多くのユーザをサポートするように構成され、本明細書に記載された教示が実施される無線通信システム１１００を例示する。このシステム１１００は、例えばマクロセル１１０２Ａ−１１０２Ｇのような複数のセル１１０２のための通信を提供する。ここで、各セルは、対応するアクセス・ノード１１０４（例えば、アクセス・ノード１１０４Ａ−１１０４Ｇ）によってサービス提供される。図１１に示すように、アクセス端末１１０６（例えば、アクセス端末１１０６Ａ−１１０６Ｌ）は、時間にわたって、システム内のさまざまな位置に分布しうる。アクセス端末１１０６はおのおのの、例えば、アクセス端末１１０６がアクティブであるか、および、ソフト・ハンドオフにあるかに依存して、所与の時間において、順方向リンク（ＦＬ）および／または逆方向リンク（ＲＬ）で、１または複数のアクセス・ノード１１０４と通信しうる。無線通信システム１１００は、広い地理的領域にわたってサービスを提供しうる。
【００７１】
図１２は、１または複数のフェムト・ノードがネットワーク環境内で配置されている典型的な通信システム１２００を例示する。具体的には、システム１２００は、（例えば、１または複数のユーザ住宅１２３０内のような）比較的小規模スケールのネットワーク環境に搭載された複数のフェムト・ノード１２１０Ａ，１２１０Ｂ（例えば、フェムト・ノードまたはＨ（ｅ）ＮＢ）を含む。おのおののフェムト・ノード１２１０は、デジタル加入者ライン（ＤＳＬ）ルータ、ケーブル・モデム、無線リンク、またはその他の接続手段（図示せず）を経由して、広域ネットワーク１２４０（例えば、インターネット）およびモバイル・オペレータ・コア・ネットワーク１２５０に接続されうる。以下に説明するように、各フェムト・ノード１２１０は、（例えば、アクセス端末１２２０Ａのような）関連付けられたアクセス端末１２２０と、オプションとして、（例えば、アクセス端末１２２０Ｂのような）外部アクセス端末１２２０にサービス提供するように構成されうる。言い換えれば、フェムト・ノード１２１０へのアクセスが制限され、これによって、所与のアクセス端末１２２０が、指定された（例えば、住宅のような）フェムト・ノード（単数または複数）１２１０のセットによってサービス提供されうるが、指定されていないフェムト・ノード１２１０（例えば、近隣のフェムト・ノード）によってサービス提供されないようになる。
【００７２】
図１３は、おのおのがいくつかのマクロ有効通信範囲エリア１３０４を含むいくつかのトラッキング・エリア１３０２（または、ルーティング・エリアまたは位置エリア）が定義されている有効通信範囲マップ１３００の例を示す。ここでは、トラッキング・エリア１３０２Ａ，１３０２Ｂ，１３０２Ｃに関連付けられた有効通信範囲のエリアが、太線で示され、マクロ有効通信範囲エリア１３０４が、六角形によって示されている。トラッキング・エリア１３０２は、フェムト有効通信範囲エリア１３０６をも含んでいる。この例において、フェムト有効通信範囲領域１３０６（例えば、フェムト有効通信範囲領域１３０６Ｃ）のおのおのは、マクロ有効通信範囲領域１３０４（例えば、マクロ有効通信範囲領域１３０４Ｂ）内に図示される。しかしながら、フェムト有効通信範囲領域１３０６は、マクロ有効通信範囲領域１３０４内に全体が位置していなくても良いことが認識されるべきである。実際、フェムト有効通信範囲領域１３０６の大部分は、トラッキング領域１３０２またはマクロ有効通信範囲領域１３０４内に規定されうる。さらに、１または複数のピコ有効通信範囲領域（図示せず）は、所与のトラッキング領域１３０２またはマクロ有効通信範囲領域１３０４内に規定されうる。
【００７３】
図１２に再び示すように、フェムト・ノード１２１０の所有者は、モバイル・オペレータ・コア・ネットワーク１２５０を通じて提供された、例えば３Ｇモバイル・サービスのようなモバイル・サービスに申し込みうる。さらに、アクセス端末１２２０は、マクロ環境と、（例えば、住宅のような）小規模なネットワーク環境との両方において、動作可能でありうる。したがって、例えば、アクセス端末１２２０は、アクセス端末１２２０の現在位置に依存して、アクセス・ノード１２６０によって、または、フェムト・ノード１２１０（例えば、対応するユーザ住宅１２３０内に存在するフェムト・ノード１２１０Ａ，１２１０Ｂ）のセットのうちの任意の１つによってサービス提供されうる。例えば、加入者が、自宅外にいる場合、標準的なマクロ・セル・アクセス・ノード（例えば、ノード１２６０）によってサービス提供され、加入者が、自宅内にいる場合、フェムト・ノード（例えば、ノード１２１０Ａ）によってサービス提供される。ここでは、フェムト・ノード１２１０は、既存のアクセス端末１２２０との後方互換性を持ちうることが認識されるべきである。
【００７４】
フェムト・ノード１２１０は、単一の周波数で、代替例では、複数の周波数で展開されうる。特定の構成に依存して、単一の周波数、または、複数の周波数のうちの１または複数が、マクロ・セル・アクセス・ノード（例えば、ノード１２６０）によって使用される１または複数の周波数とオーバラップしうる。いくつかの態様では、アクセス端末１２２０は、（例えば、アクセス端末１２２０のホーム・フェムト・ノードのような）好適なフェムト・ノードとの接続が可能である場合には常に接続するように構成されうる。例えば、アクセス端末１２２０がユーザの自宅１２３０内にある場合は常に、アクセス端末１２２０はホーム・フェムト・ノード１２１０とのみ通信することが望まれうる。
【００７５】
いくつかの態様では、アクセス端末１２２０がモバイル・オペレータ・コア・ネットワーク１２５０内で動作するが、（例えば、好適なローミング・リストで定義されたような）最も好適なネットワークに存在しない場合、アクセス端末１２２０は、より良好なシステムが現在利用可能であるかを判定するために、利用可能なシステムの定期的なスキャンと、好適なシステムと関連付けるためのその後の努力とを含むベター・システム再選択（ＢＳＲ：Better System Reselection）を使用して、最も好適なネットワーク（例えば、フェムト・ノード１２１０）を探索し続けうる。１つの例では、アクセス端末１２２０は、（例えば、好適なローミング・リスト内の）獲得テーブル・エントリを用いて、特定の帯域およびチャネルを求める探索を制限しうる。例えば、最も好適なシステムの探索は、定期的に反復されうる。アクセス端末１２２０は、例えばフェムト・ノード１２１０のような好適なフェムト・ノードを発見すると、有効通信範囲エリア内でキャンプするためのフェムト・ノード１２１０を選択する。
【００７６】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１２３０内に存在するフェムトセル１２１０のように）定義されたフェムト・ノードのセットによってのみサービス提供されうる。いくつかの実施では、フェムト・ノードは、少なくとも１つのノードのために、シグナリング、データ・アクセス、登録、ページング、またはサービスのうちの少なくとも１つを提供しないように制限されうる。
【００７７】
いくつかの態様では、（クローズド加入者グループＨ（ｅ）ＮＢとも称されうる）制限されたフェムト・ノードは、制限されたアクセス端末のプロビジョンされたセットへサービスを提供するノードである。必要な場合、このセットは、一時的または永続的に拡張されうる。いくつかの態様では、クローズド加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００７８】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らくは緊急事態（例えば、９１１コール）を除いて、アクセス端末がアクセスし動作することを許可されないフェムト・ノードを称しうる。
【００７９】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００８０】
便宜上、本明細書における開示は、フェムト・ノードの文脈で、さまざまな機能を説明している。しかしながら、大規模な有効通信範囲エリアのために、ピコ・ノードが、フェムト・ノードと同じまたは同様の機能を提供しうることが認識されるべきである。例えば、ピコ・ノードが制限され、所与のアクセス端末のためにホーム・ピコ・ノードが定義される等である。
【００８１】
無線多元接続通信システムは、複数の無線アクセス端末のための通信を同時にサポートすることができうる。前述したように、おのおのの端末は、順方向リンクおよび逆方向リンクによる送信によって１または複数の基地局と通信しうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、ＭＩＭＯシステム、あるいは、その他いくつかのタイプのシステムによって確立されうる。
【００８２】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいはステート・マシンを用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００８３】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。前述した組み合わせもまた、コンピュータ読取可能な媒体の範囲内に含まれるべきである。
【００８４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013538490.tif 000003
【図２】
2013538490.tif 000004
【図３】
2013538490.tif 000005
【図４】
2013538490.tif 000006
【図５】
2013538490.tif 000007
【図６】
2013538490.tif 000008
【図７】
2013538490.tif 000009
【図８】
2013538490.tif 000010
【図９】
2013538490.tif 000011
【図１０】
2013538490.tif 000012
【図１１】
2013538490.tif 000013
【図１２】
2013538490.tif 000014
【図１３】
2013538490.tif 000015
【国際調査報告】
2013538490.tif 000016
2013538490.tif 000017
2013538490.tif 000018